(57)【要約】      （修正有）【課題】デマンドレスポンスによる電力の制限要請分を蓄電池の放電で賄うことが可能であり、かつ、デマンドレスポンスの用途以外にも蓄電池の電力を利用可能とするシステムを提供する。【解決手段】アグリゲータシステム１２は、電力供給事業者１６の電力供給能力及び当該電力供給事業者１６に対する電力需要に基づいて、電力制限要請指令の発令有無を予測するとともに発令予定時刻を求める指令予測部と、電力供給事業者１６からアグリゲータシステム１２に対して要請があると予測される電力制限要請予測量を求める要請量予測部と、電力制限要請予測量の各需要家電力管理システム１４への分配量である、電力制限分配予測量の初期値を求める分配予測量算出部と、各需要家電力管理システム１４が管理する蓄電池４９の蓄電量以下となるように、電力制限分配予測量を調整する分配予測量調整部と、を備える。【選択図】図１
2018033273.tif 000002
【特許請求の範囲】
【請求項１】
電力供給事業者から送られる電力制限要請指令に基づき、複数の需要家に電力制限分配量を分配する、アグリゲータシステムと、
前記各需要家に設けられ、前記アグリゲータシステムから分配される前記電力制限分配量に応じて前記各需要家に設けられた、蓄電池を含む電気機器の電力管理を行う、需要家電力管理システムと、
を備える、電力管理システムであって、
前記アグリゲータシステムは、
前記電力供給事業者の電力供給能力及び当該電力供給事業者に対する電力需要に基づいて、前記電力制限要請指令の発令有無を予測するとともに発令予定時刻を求める指令予測部と、
前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める要請量予測部と、
前記電力制限要請予測量の前記各需要家電力管理システムへの分配量である、電力制限分配予測量の初期値を求める分配予測量算出部と、
前記各需要家電力管理システムが管理する前記蓄電池の蓄電量以下となるように、前記電力制限分配予測量を調整する分配予測量調整部と、
を備え、
前記各需要家電力管理システムは、
自身に分配された、調整後の前記電力制限分配予測量の全量を少なくとも含むように、前記発令予定時刻における前記蓄電池の蓄電量下限値を設定する蓄電量下限値設定部と、
前記蓄電量下限値を超過する余剰分の蓄電量を、前記発令予定時刻までの放電可能量に設定する蓄電池制御部と、
を備える、電力管理システム。
【請求項２】
電力供給事業者から送られる電力制限要請指令に基づき、複数の需要家に電力制限分配量を分配する、アグリゲータシステムと、
前記各需要家に設けられ、前記アグリゲータシステムから分配される前記電力制限分配量に応じて前記各需要家に設けられた電気機器の電力管理を行う、需要家電力管理システムと、
を備える、電力管理システムであって、
一部の前記需要家電力管理システムの電力管理対象となる電気機器には蓄電池が含まれ、
前記アグリゲータシステムは、
前記電力供給事業者の電力供給能力及び当該電力供給事業者に対する電力需要に基づいて、前記電力制限要請指令の発令有無を予測するとともに発令予定時刻を求める指令予測部と、
前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める要請量予測部と、
前記電力制限要請予測量の前記各需要家電力管理システムへの分配量である、電力制限分配予測量の初期値を求める分配予測量算出部と、
電力管理対象に前記蓄電池が含まれない前記需要家電力管理システムに割り当てられた、前記電力制限分配予測量の少なくとも一部を、電力管理対象に前記蓄電池が含まれる前記一部の需要家電力管理システムへの前記電力制限分配予測量に加え、さらに、前記一部の需要家電力管理システムが管理する前記蓄電池の蓄電量以下となるように、前記一部の需要家電力管理システムへの前記電力制限分配予測量を調整する分配予測量調整部と、
を備え、
前記一部の需要家電力管理システムは、
自身に分配された、調整後の前記電力制限分配予測量の全量を少なくとも含むように、前記発令予定時刻における前記蓄電池の蓄電量下限値を設定する蓄電量下限値設定部と、
前記蓄電量下限値を超過する余剰分の蓄電量を、前記発令予定時刻までの放電可能量に設定する蓄電池制御部と、
を備える、電力管理システム。
【請求項３】
請求項１または２に記載の電力管理システムであって、
前記分配予測量調整部は、前記電力制限分配予測量の初期値の総和が、調整後の前記電力制限要請予測量の総和を超過する場合に、その超過分を、前記需要家電力管理システムの電力管理対象となる負荷の消費電力制限量に設定する、電力管理システム。
【請求項４】
請求項１から３のいずれか一つに記載の電力管理システムであって、
前記蓄電量下限値設定部は、前記発令予定時刻以降に前記電力制限要請指令が発令されない場合に、前記発令予定時刻以降の時間経過に応じて前記蓄電量下限値を引き下げる、電力管理システム。
【請求項５】
電力供給事業者から送られる電力制限要請指令に基づき、アグリゲータシステムが、複数の需要家電力管理システムに電力制限分配量を分配し、
前記需要家電力管理システムが、前記アグリゲータシステムから分配される前記電力制限分配量に応じて、蓄電池を含む電気機器の電力管理を行う、
電力管理方法であって、
前記電力供給事業者の電力供給能力及び当該電力供給事業者に対する電力需要に基づいて、前記電力制限要請指令の発令有無を予測するとともに発令予定時刻を求め、
前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求め、
前記電力制限要請予測量の前記各需要家電力管理システムへの分配量である、電力制限分配予測量の初期値を求め、
前記各需要家電力管理システムが管理する前記蓄電池の蓄電量以下となるように、前記電力制限分配予測量を調整し、
前記各需要家電力管理システムに分配された、調整後の前記電力制限分配予測量の全量を少なくとも含むように、前記各需要家電力管理システムの電力管理対象である前記蓄電池の前記発令予定時刻における蓄電量下限値を設定し、
前記蓄電量下限値を超過する余剰分の蓄電量を、前記発令予定時刻までの放電可能量に設定する、電力管理方法。
【請求項６】
電力供給事業者から送られる電力制限要請指令に基づき、アグリゲータシステムが、複数の需要家電力管理システムに電力制限分配量を分配し、
前記需要家電力管理システムが、前記アグリゲータシステムから分配される前記電力制限分配量に応じて電気機器の電力管理を行う、
電力管理方法であって、
一部の前記需要家電力管理システムの電力管理対象となる電気機器には蓄電池が含まれ、
前記電力供給事業者の電力供給能力及び当該電力供給事業者に対する電力需要に基づいて、前記電力制限要請指令の発令有無を予測するとともに発令予定時刻を求め、
前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求め、
前記電力制限要請予測量の前記各需要家電力管理システムへの分配量である、電力制限分配予測量の初期値を求め、
電力管理対象に前記蓄電池が含まれない前記需要家電力管理システムに割り当てられた、前記電力制限分配予測量の少なくとも一部を、電力管理対象に前記蓄電池が含まれる前記一部の需要家電力管理システムへの前記電力制限分配予測量に加え、さらに、前記一部の需要家電力管理システムが管理する前記蓄電池の蓄電量以下となるように、前記一部の需要家電力管理システムへの前記電力制限分配予測量を調整し、
前記一部の需要家電力管理システムに分配された、調整後の前記電力制限分配予測量の全量を少なくとも含むように、前記一部の需要家電力管理システムの電力管理対象である前記蓄電池の前記発令予定時刻における蓄電量下限値を設定し、
前記蓄電量下限値を超過する余剰分の蓄電量を、前記発令予定時刻までの放電可能量に設定する、電力管理方法。
【請求項７】
電力供給事業者から送られる電力制限要請指令に基づき、電力管理対象となる電気機器に蓄電池を含む、複数の前記需要家電力管理システムに対して、電力制限分配量を分配する、アグリゲータシステムであって、
前記電力供給事業者の電力供給能力及び当該電力供給事業者に対する電力需要に基づいて、前記電力制限要請指令の発令有無を予測するとともに発令予定時刻を求める指令予測部と、
前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める要請量予測部と、
前記電力制限要請予測量の前記各需要家電力管理システムへの分配量である、電力制限分配予測量の初期値を求める分配予測量算出部と、
前記需要家電力管理システムにおいて、自身に分配された、前記電力制限分配予測量の全量が少なくとも含まれるように、前記発令予定時刻における前記蓄電池の蓄電量下限値が設定され、加えて、前記蓄電量下限値を超過する余剰分の蓄電量が、前記発令予定時刻までの放電可能量に設定されるように、前記各需要家電力管理システムが管理する前記蓄電池の蓄電量以下となるように前記分配予測量算出部により求められた前記電力制限分配予測量を調整する分配予測量調整部と、
を備える、アグリゲータシステム。
【請求項８】
電力供給事業者から送られる電力制限要請指令に基づき、複数の需要家電力管理システムであって、その一部の前記需要家電力管理システムの電力管理対象となる電気機器に蓄電池を含む、複数の前記需要家電力管理システムに対して、電力制限分配量を分配する、アグリゲータシステムであって、
前記電力供給事業者の電力供給能力及び当該電力供給事業者に対する電力需要に基づいて、前記電力制限要請指令の発令有無を予測するとともに発令予定時刻を求める指令予測部と、
前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める要請量予測部と、
前記電力制限要請予測量の前記各需要家電力管理システムへの分配量である、電力制限分配予測量の初期値を求める分配予測量算出部と、
前記需要家電力管理システムにおいて、自身への前記電力制限分配予測量の全量が少なくとも含まれるように、前記発令予定時刻における前記蓄電池の蓄電量下限値が設定され、加えて、前記蓄電量下限値を超過する余剰分の蓄電量が、前記発令予定時刻までの放電可能量に設定されるように、前記分配予測量算出部により、電力管理対象に前記蓄電池が含まれない前記需要家電力管理システムに割り当てられた、前記電力制限分配予測量の少なくとも一部を、前記分配予測量算出部により、電力管理対象に前記蓄電池が含まれる前記一部の需要家電力管理システムに割り当てられた、前記電力制限分配予測量に加え、さらに、前記一部の需要家電力管理システムが管理する前記蓄電池の蓄電量以下となるように、前記一部の需要家電力管理システムへの前記電力制限分配予測量を調整する分配予測量調整部と、
を備える、アグリゲータシステム。
【請求項９】
電力供給事業者から送られる電力制限要請指令に基づきアグリゲータシステムから分配される電力制限分配量に応じて、蓄電池を含む電気機器の電力管理を行う、
需要家電力管理システムであって、
前記アグリゲータシステムから、電力制限指令の発令予定時刻、及び、前記蓄電池の蓄電量以下となるように調整された電力制限分配予測量を受信する受信部と、
調整後の前記電力制限分配予測量の全量を少なくとも含むように、前記発令予定時刻における前記蓄電池の蓄電量下限値を設定する蓄電量下限値設定部と、
前記蓄電量下限値を超過する余剰分の蓄電量を、前記発令予定時刻までの放電可能量に設定する蓄電池制御部と、
を備える、需要家電力管理システム。
【請求項１０】
コンピュータを、
電力供給事業者から送られる電力制限要請指令に基づき、電力管理対象となる電気機器に蓄電池を含む、複数の前記需要家電力管理システムに対して、電力制限分配量を分配する、アグリゲータシステムとして機能させるプログラムであって、
前記コンピュータを、
前記電力供給事業者の電力供給能力及び当該電力供給事業者に対する電力需要に基づいて、前記電力制限要請指令の発令有無を予測するとともに発令予定時刻を求める指令予測部と、
前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める要請量予測部と、
前記電力制限要請予測量の前記各需要家電力管理システムへの分配量である、電力制限分配予測量の初期値を求める分配予測量算出部と、
前記需要家電力管理システムにおいて、自身に分配された、前記電力制限分配予測量の全量が少なくとも含まれるように、前記発令予定時刻における前記蓄電池の蓄電量下限値が設定され、加えて、前記蓄電量下限値を超過する余剰分の蓄電量が、前記発令予定時刻までの放電可能量に設定されるように、前記各需要家電力管理システムが管理する前記蓄電池の蓄電量以下となるように前記分配予測量算出部により求められた前記電力制限分配予測量を調整する分配予測量調整部と、
して機能させる、プログラム。
【請求項１１】
コンピュータを、
電力供給事業者から送られる電力制限要請指令に基づき、複数の需要家電力管理システムであって、その一部の前記需要家電力管理システムの電力管理対象となる電気機器に蓄電池を含む、複数の前記需要家電力管理システムに対して、電力制限分配量を分配する、アグリゲータシステムとして機能させるプログラムであって、
前記コンピュータを、
前記電力供給事業者の電力供給能力及び当該電力供給事業者に対する電力需要に基づいて、前記電力制限要請指令の発令有無を予測するとともに発令予定時刻を求める指令予測部と、
前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める要請量予測部と、
前記電力制限要請予測量の前記各需要家電力管理システムへの分配量である、電力制限分配予測量の初期値を求める分配予測量算出部と、
前記需要家電力管理システムにおいて、自身への前記電力制限分配予測量の全量が少なくとも含まれるように、前記発令予定時刻における前記蓄電池の蓄電量下限値が設定され、加えて、前記蓄電量下限値を超過する余剰分の蓄電量が、前記発令予定時刻までの放電可能量に設定されるように、前記分配予測量算出部により、電力管理対象に前記蓄電池が含まれない前記需要家電力管理システムに割り当てられた、前記電力制限分配予測量の少なくとも一部を、前記分配予測量算出部により、電力管理対象に前記蓄電池が含まれる前記一部の需要家電力管理システムに割り当てられた、前記電力制限分配予測量に加え、さらに、前記一部の需要家電力管理システムが管理する前記蓄電池の蓄電量以下となるように、前記一部の需要家電力管理システムへの前記電力制限分配予測量を調整する分配予測量調整部と、
して機能させる、プログラム。
【請求項１２】
コンピュータを、
電力供給事業者から送られる電力制限要請指令に基づきアグリゲータシステムから分配される電力制限分配量に応じて、蓄電池を含む電気機器の電力管理を行う、需要家電力管理システムとして機能させるプログラムであって、
前記コンピュータを、
前記アグリゲータシステムから、電力制限指令の発令予定時刻、及び、前記蓄電池の蓄電量以下となるように調整された電力制限分配予測量を受信する受信部と、
調整後の前記電力制限分配予測量の全量を少なくとも含むように、前記発令予定時刻における前記蓄電池の蓄電量下限値を設定する蓄電量下限値設定部と、
前記蓄電量下限値を超過する余剰分の蓄電量を、前記発令予定時刻までの放電可能量に設定する蓄電池制御部と、
して機能させる、プログラム。
【発明の詳細な説明】
【技術分野】
【０００１】
本発明は、電力の需給バランスを調整する、電力管理システム、電力管理方法、アグリゲータシステム、需要家電力管理システム、及びプログラムに関する。
【背景技術】
【０００２】
近年、電力供給事業者による全体の発電量に占める、太陽光発電や風力発電等の再生可能エネルギーによる発電量の割合が増加している。再生可能エネルギーによる発電量は天候（日射量、風量等）に応じて増減することから、このような変動に対応可能な、電力の需給バランスの調整システムが必要となる。
【０００３】
例えば近年では、電力供給事業者側の発電量の変動に応じて、電力を消費する需要家側が受電電力（買電力）を一時的に制御する、デマンドレスポンス（ＤＲ）と呼ばれる電力需給調整が知られている。
【０００４】
さらにこのデマンドレスポンスに関して、電力供給事業者と複数の需要家との間に入って電力需給を調整する、アグリゲータと呼ばれる事業者が知られている。アグリゲータは電力供給事業者から増減させる電力量の要請（ＤＲ要請）を受けると、これを適宜複数の需要家に分配する。各需要家の電力量の増減実績（ＤＲ実績）に応じて、例えば、電力供給事業者から各需要家に電力料金軽減等のインセンティブが与えられる。また、各需要家のデマンドレスポンスの成功率（ＤＲ実績／ＤＲ要請）の総和に応じて、例えば所定の報酬が電力供給事業者からアグリゲータに支払われる。
【０００５】
各需要家における電力制御に関して、例えば特許文献１では、ＤＲ要請に基づく受電電力の制限分を、需要家に備え付けられた蓄電池の放電により賄う、ＤＲモードが実行される。ＤＲモードでは、デマンドレスポンスの実施前、例えば深夜帯に所定のＳＯＣまで蓄電池を充電させ、その後、ＤＲ要請が来るまで放電を禁止する。ＤＲ要請を受けると、当該ＤＲ要請に基づく受電電力の制限分を蓄電池の放電により賄う。受電電力の制限分を、需要家の負荷制限、例えば空調の出力制限等で賄うのに比べて、需要家の快適性を損ねないという点で、このような蓄電池の活用には利点がある。
【先行技術文献】
【特許文献】
【０００６】
【特許文献１】特開２０１５−２１１５５６号公報
【発明の概要】
【発明が解決しようとする課題】
【０００７】
ところで、蓄電池の電力を専らデマンドレスポンスの対応に充て、デマンドレスポンスの実施期間前には放電を禁止させる放充電管理を行うと、当然のことながら、デマンドレスポンス以外の放電、例えばいわゆるピークカット等の、受電電力量（買電電力量）削減のために蓄電池の電力を活用することがシステム上できなくなり、蓄電池の電力活用の利便性の観点から改善の余地がある。そこで本発明は、デマンドレスポンスによる電力の制限要請分を蓄電池の放電で賄うことが可能であり、かつ、デマンドレスポンスの用途以外にも蓄電池の電力を利用可能とする、電力管理システム、電力管理方法、アグリゲータシステム、需要家電力管理システム、及びプログラムを提供することを目的とする。
【課題を解決するための手段】
【０００８】
本発明は、電力管理システムに関する。当該電力管理システムは、電力供給事業者から送られる電力制限要請指令に基づき、複数の需要家に電力制限分配量を分配する、アグリゲータシステムと、前記各需要家に設けられ、前記アグリゲータシステムから分配される前記電力制限分配量に応じて前記各需要家に設けられた、蓄電池を含む電気機器の電力管理を行う、需要家電力管理システムと、を備える。前記アグリゲータシステムは、指令予測部、要請量予測部、分配予測量算出部、及び、分配予測量調整部を備える。指令予測部は、前記電力供給事業者の電力供給能力及び当該電力供給事業者に対する電力需要に基づいて、前記電力制限要請指令の発令有無を予測するとともに発令予定時刻を求める。要請量予測部は、前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める。分配予測量算出部は、前記電力制限要請予測量の前記各需要家電力管理システムへの分配量である、電力制限分配予測量の初期値を求める。分配予測量調整部は、前記各需要家電力管理システムが管理する前記蓄電池の蓄電量以下となるように、前記電力制限分配予測量を調整する。前記各需要家電力管理システムは、蓄電量下限値設定部、及び、蓄電池制御部を備える。蓄電量下限値設定部は、自身に分配された、調整後の前記電力制限分配予測量の全量を少なくとも含むように、前記発令予定時刻における前記蓄電池の蓄電量下限値を設定する。蓄電池制御部は、前記蓄電量下限値を超過する余剰分の蓄電量を、前記発令予定時刻までの放電可能量に設定する。
【０００９】
また、本発明の別態様に係る電力管理システムは、電力供給事業者から送られる電力制限要請指令に基づき、複数の需要家に電力制限分配量を分配する、アグリゲータシステムと、前記各需要家に設けられ、前記アグリゲータシステムから分配される前記電力制限分配量に応じて前記各需要家に設けられた電気機器の電力管理を行う、需要家電力管理システムと、を備える。一部の前記需要家電力管理システムの電力管理対象となる電気機器には蓄電池が含まれる。前記アグリゲータシステムは、指令予測部、要請量予測部、分配予測量算出部、及び、分配予測量調整部を備える。指令予測部は、前記電力供給事業者の電力供給能力及び当該電力供給事業者に対する電力需要に基づいて、前記電力制限要請指令の発令有無を予測するとともに発令予定時刻を求める。要請量予測部は、前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める。分配予測量算出部は、前記電力制限要請予測量の前記各需要家電力管理システムへの分配量である、電力制限分配予測量の初期値を求める。分配予測量調整部は、電力管理対象に前記蓄電池が含まれない前記需要家電力管理システムに割り当てられた、前記電力制限分配予測量の少なくとも一部を、電力管理対象に前記蓄電池が含まれる前記一部の需要家電力管理システムへの前記電力制限分配予測量に加え、さらに、前記一部の需要家電力管理システムが管理する前記蓄電池の蓄電量以下となるように、前記一部の需要家電力管理システムへの前記電力制限分配予測量を調整する。前記一部の需要家電力管理システムは、蓄電量下限値設定部、及び、蓄電池制御部を備える。蓄電量下限値設定部は、自身に分配された、調整後の前記電力制限分配予測量の全量を少なくとも含むように、前記発令予定時刻における前記蓄電池の蓄電量下限値を設定する。蓄電池制御部は、前記蓄電量下限値を超過する余剰分の蓄電量を、前記発令予定時刻までの放電可能量に設定する。
【００１０】
また、上記発明において、前記分配予測量調整部は、前記電力制限分配予測量の初期値の総和が、調整後の前記電力制限要請予測量の総和を超過する場合に、その超過分を、前記需要家電力管理システムの電力管理対象となる負荷の消費電力制限量に設定してもよい。
【００１１】
また、上記発明において、前記蓄電量下限値設定部は、前記発令予定時刻以降に前記電力制限要請指令が発令されない場合に、前記発令予定時刻以降の時間経過に応じて前記蓄電量下限値を引き下げてもよい。
【００１２】
また、本発明は電力管理方法に関する。当該電力管理方法では、電力供給事業者から送られる電力制限要請指令に基づき、アグリゲータシステムが、複数の需要家電力管理システムに電力制限分配量を分配する。また、前記需要家電力管理システムが、前記アグリゲータシステムから分配される前記電力制限分配量に応じて、蓄電池を含む電気機器の電力管理を行う。当該電力管理方法では、前記電力供給事業者の電力供給能力及び当該電力供給事業者に対する電力需要に基づいて、前記電力制限要請指令の発令有無を予測するとともに発令予定時刻を求め、前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求め、前記電力制限要請予測量の前記各需要家電力管理システムへの分配量である、電力制限分配予測量の初期値を求め、前記各需要家電力管理システムが管理する前記蓄電池の蓄電量以下となるように、前記電力制限分配予測量を調整し、前記各需要家電力管理システムに分配された、調整後の前記電力制限分配予測量の全量を少なくとも含むように、前記各需要家電力管理システムの電力管理対象である前記蓄電池の前記発令予定時刻における蓄電量下限値を設定し、前記蓄電量下限値を超過する余剰分の蓄電量を、前記発令予定時刻までの放電可能量に設定する。
【００１３】
また、本発明の別態様に係る電力管理方法では、電力供給事業者から送られる電力制限要請指令に基づき、アグリゲータシステムが、複数の需要家電力管理システムに電力制限分配量を分配する、また、前記需要家電力管理システムが、前記アグリゲータシステムから分配される前記電力制限分配量に応じて電気機器の電力管理を行う。一部の前記需要家電力管理システムの電力管理対象となる電気機器には蓄電池が含まれる。当該電力管理方法では、前記電力供給事業者の電力供給能力及び当該電力供給事業者に対する電力需要に基づいて、前記電力制限要請指令の発令有無を予測するとともに発令予定時刻を求め、前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求め、前記電力制限要請予測量の前記各需要家電力管理システムへの分配量である、電力制限分配予測量の初期値を求め、電力管理対象に前記蓄電池が含まれない前記需要家電力管理システムに割り当てられた、前記電力制限分配予測量の少なくとも一部を、電力管理対象に前記蓄電池が含まれる前記一部の需要家電力管理システムへの前記電力制限分配予測量に加え、さらに、前記一部の需要家電力管理システムが管理する前記蓄電池の蓄電量以下となるように、前記一部の需要家電力管理システムへの前記電力制限分配予測量を調整し、前記一部の需要家電力管理システムに分配された、調整後の前記電力制限分配予測量の全量を少なくとも含むように、前記一部の需要家電力管理システムの電力管理対象である前記蓄電池の前記発令予定時刻における蓄電量下限値を設定し、前記蓄電量下限値を超過する余剰分の蓄電量を、前記発令予定時刻までの放電可能量に設定する。
【００１４】
また、本発明は、電力供給事業者から送られる電力制限要請指令に基づき、電力管理対象となる電気機器に蓄電池を含む、複数の前記需要家電力管理システムに対して、電力制限分配量を分配する、アグリゲータシステムに関する。当該アグリゲータシステムは、指令予測部、要請量予測部、分配予測量算出部、及び、分配予測量調整部を備える。指令予測部は、前記電力供給事業者の電力供給能力及び当該電力供給事業者に対する電力需要に基づいて、前記電力制限要請指令の発令有無を予測するとともに発令予定時刻を求める。要請量予測部は、前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める。分配予測量算出部は、前記電力制限要請予測量の前記各需要家電力管理システムへの分配量である、電力制限分配予測量の初期値を求める。前記需要家電力管理システムにおいて、自身に分配された、前記電力制限分配予測量の全量が少なくとも含まれるように、前記発令予定時刻における前記蓄電池の蓄電量下限値が設定され、加えて、前記蓄電量下限値を超過する余剰分の蓄電量が、前記発令予定時刻までの放電可能量に設定されるように、分配予測量調整部は、前記各需要家電力管理システムが管理する前記蓄電池の蓄電量以下となるように前記分配予測量算出部により求められた前記電力制限分配予測量を調整する。
【００１５】
また、本発明の別態様に係るアグリゲータシステムは、電力供給事業者から送られる電力制限要請指令に基づき、複数の需要家電力管理システムであって、その一部の前記需要家電力管理システムの電力管理対象となる電気機器に蓄電池を含む、複数の前記需要家電力管理システムに対して、電力制限分配量を分配する。当該アグリゲータシステムは、指令予測部、要請量予測部、分配予測量算出部、及び、分配予測量調整部を備える。指令予測部は、前記電力供給事業者の電力供給能力及び当該電力供給事業者に対する電力需要に基づいて、前記電力制限要請指令の発令有無を予測するとともに発令予定時刻を求める。要請量予測部は、前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める。分配予測量算出部は、前記電力制限要請予測量の前記各需要家電力管理システムへの分配量である、電力制限分配予測量の初期値を求める。前記需要家電力管理システムにおいて、自身への前記電力制限分配予測量の全量が少なくとも含まれるように、前記発令予定時刻における前記蓄電池の蓄電量下限値が設定され、加えて、前記蓄電量下限値を超過する余剰分の蓄電量が、前記発令予定時刻までの放電可能量に設定されるように、分配予測量調整部は、前記分配予測量算出部により、電力管理対象に前記蓄電池が含まれない前記需要家電力管理システムに割り当てられた、前記電力制限分配予測量の少なくとも一部を、前記分配予測量算出部により、電力管理対象に前記蓄電池が含まれる前記一部の需要家電力管理システムに割り当てられた、前記電力制限分配予測量に加え、さらに、前記一部の需要家電力管理システムが管理する前記蓄電池の蓄電量以下となるように、前記一部の需要家電力管理システムへの前記電力制限分配予測量を調整する。
【００１６】
また、本発明は、電力供給事業者から送られる電力制限要請指令に基づきアグリゲータシステムから分配される電力制限分配量に応じて、蓄電池を含む電気機器の電力管理を行う、需要家電力管理システムに関する。当該需要家電力管理システムは、受信部、蓄電量下限値設定部、及び、蓄電池制御部を備える。受信部は、前記アグリゲータシステムから、電力制限指令の発令予定時刻、及び、前記蓄電池の蓄電量以下となるように調整された電力制限分配予測量を受信する。蓄電量下限値設定部は、調整後の前記電力制限分配予測量の全量を少なくとも含むように、前記発令予定時刻における前記蓄電池の蓄電量下限値を設定する。蓄電池制御部は、前記蓄電量下限値を超過する余剰分の蓄電量を、前記発令予定時刻までの放電可能量に設定する。
【００１７】
また、本発明は、コンピュータを、電力供給事業者から送られる電力制限要請指令に基づき、電力管理対象となる電気機器に蓄電池を含む、複数の前記需要家電力管理システムに対して、電力制限分配量を分配する、アグリゲータシステムとして機能させるプログラムに関する。当該プログラムは、前記コンピュータを、指令予測部、要請量予測部、分配予測量算出部、及び、分配予測量調整部として機能させる。指令予測部は、前記電力供給事業者の電力供給能力及び当該電力供給事業者に対する電力需要に基づいて、前記電力制限要請指令の発令有無を予測するとともに発令予定時刻を求める。要請量予測部は、前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める。分配予測量算出部は、前記電力制限要請予測量の前記各需要家電力管理システムへの分配量である、電力制限分配予測量の初期値を求める。前記需要家電力管理システムにおいて、自身に分配された、前記電力制限分配予測量の全量が少なくとも含まれるように、前記発令予定時刻における前記蓄電池の蓄電量下限値が設定され、加えて、前記蓄電量下限値を超過する余剰分の蓄電量が、前記発令予定時刻までの放電可能量に設定されるように、分配予測量調整部は、前記各需要家電力管理システムが管理する前記蓄電池の蓄電量以下となるように前記分配予測量算出部により求められた前記電力制限分配予測量を調整する。
【００１８】
また、本発明の別態様は、コンピュータを、電力供給事業者から送られる電力制限要請指令に基づき、複数の需要家電力管理システムであって、その一部の前記需要家電力管理システムの電力管理対象となる電気機器に蓄電池を含む、複数の前記需要家電力管理システムに対して、電力制限分配量を分配する、アグリゲータシステムとして機能させるプログラムに関する。当該プログラムは、前記コンピュータを、指令予測部、要請量予測部、分配予測量算出部、及び、分配予測量調整部として機能させる。指令予測部は、前記電力供給事業者の電力供給能力及び当該電力供給事業者に対する電力需要に基づいて、前記電力制限要請指令の発令有無を予測するとともに発令予定時刻を求める。要請量予測部は、前記電力制限要請指令の発令有りと予測されたときに、過去の、前記電力供給事業者から前記アグリゲータシステムに対して指令された電力制限実績量に基づいて、前記電力供給事業者から前記アグリゲータシステムに対して要請があると予測される電力制限要請予測量を求める。分配予測量算出部は、前記電力制限要請予測量の前記各需要家電力管理システムへの分配量である、電力制限分配予測量の初期値を求める。前記需要家電力管理システムにおいて、自身への前記電力制限分配予測量の全量が少なくとも含まれるように、前記発令予定時刻における前記蓄電池の蓄電量下限値が設定され、加えて、前記蓄電量下限値を超過する余剰分の蓄電量が、前記発令予定時刻までの放電可能量に設定されるように、分配予測量調整部は、前記分配予測量算出部により、電力管理対象に前記蓄電池が含まれない前記需要家電力管理システムに割り当てられた、前記電力制限分配予測量の少なくとも一部を、前記分配予測量算出部により、電力管理対象に前記蓄電池が含まれる前記一部の需要家電力管理システムに割り当てられた、前記電力制限分配予測量に加え、さらに、前記一部の需要家電力管理システムが管理する前記蓄電池の蓄電量以下となるように、前記一部の需要家電力管理システムへの前記電力制限分配予測量を調整する。
【００１９】
また、本発明の別態様は、コンピュータを、電力供給事業者から送られる電力制限要請指令に基づきアグリゲータシステムから分配される電力制限分配量に応じて、蓄電池を含む電気機器の電力管理を行う、需要家電力管理システムとして機能させるプログラムに関する。当該プログラムは、前記コンピュータを、受信部、蓄電量下限値設定部、及び、蓄電池制御部として機能させる。受信部は、前記アグリゲータシステムから、電力制限指令の発令予定時刻、及び、前記蓄電池の蓄電量以下となるように調整された電力制限分配予測量を受信する。蓄電量下限値設定部は、調整後の前記電力制限分配予測量の全量を少なくとも含むように、前記発令予定時刻における前記蓄電池の蓄電量下限値を設定する。蓄電池制御部は、前記蓄電量下限値を超過する余剰分の蓄電量を、前記発令予定時刻までの放電可能量に設定する。
【発明の効果】
【００２０】
本発明によれば、実際にデマンドレスポンスの指令が電力供給事業者から発令される前に、電力供給事業者からアグリゲータシステムに対して分配される電力制限要請予測量（ＤＲ要請予測量）を求める。さらにＤＲ要請予測量の、各需要家への分配量である、電力制限分配予測量（ＤＲ分配予測量）を求める。このＤＲ分配予測量の算出に当たり、各需要家の蓄電池の蓄電量以下となるように、ＤＲ分配予測量が調整される。このようにすることで、各需要家電力管理システムでは、蓄電池の蓄電量をデマンドレスポンス用に確保するとともに、余剰分についてはそれ以外の用途、例えばピークカット用の電力として確保できる。
【図面の簡単な説明】
【００２１】
【図１】本実施形態に係る電力管理システムのシステム構成を例示する図である。
【図２】アグリゲータシステムの機能構成を例示する図である。
【図３】需要家電力管理システムの機能構成を例示する図である。
【図４】本実施形態に係る、ＤＲ予測に基づく電力管理のプロセスを説明する概略図である。
【図５】本実施形態に係る、ＤＲ予測に基づく電力管理プロセスフローのうち、アグリゲータシステムのプロセスフローを例示するフローチャートである。
【図６】アグリゲータシステムのプロセスフローのうち、電力需要予測処理フローを例示するフローチャートである。
【図７】アグリゲータシステムのプロセスフローのうち、ＤＲ発令確率予測処理フローを例示するフローチャートである。
【図８】ＤＲ発令確率特性式を例示するグラフである。
【図９】アグリゲータシステムのプロセスフローのうち、ＤＲ要請予測量処理フローを例示するフローチャートである。
【図１０】ＤＲ要請予測量特性式を例示するグラフである。
【図１１】アグリゲータシステムのプロセスフローのうち、ＤＲ成功率予測処理フローを例示するフローチャートである。
【図１２】ＤＲ成功率特性式及び蓄電池の下限値設定について説明する図である。
【図１３】アグリゲータシステムのプロセスフローのうち、ＤＲ分配予測量の調整処理フローを例示するフローチャートである。
【図１４】本実施形態に係る、ＤＲ予測に基づく電力管理プロセスフローのうち、需要家電力管理システムのプロセスフローを例示するフローチャートである。
【図１５】太陽光発電量モデルを例示するグラフである。
【図１６】蓄電量下限値の設定変更について説明する図である。
【図１７】ＤＲ発令予定時刻到達時及びそれ以降の、蓄電池制御フローを例示するフローチャートである。
【図１８】本実施形態に係る電力管理システムのシステム構成の別例を示す図である。
【図１９】本実施形態に係る、ＤＲ予測に基づく電力管理プロセスフローのうち、アグリゲータシステムのプロセスフローの別例を示すフローチャートである。
【図２０】アグリゲータシステムのプロセスフローのうち、ＤＲ分配予測量の調整処理フローの別例を示すフローチャートである。
【図２１】本実施形態の別例に係る電力管理プロセス実行後の、ＤＲ実績に基づくＤＲ成否及び貢献度の算出フローを例示するフローチャートである。
【図２２】本実施形態の別例に係る電力管理プロセスによる、ＤＲ量のやり取りについて説明する図である。
【発明を実施するための形態】
【００２２】
＜電力管理システムのシステム構成＞
図１に、本実施形態に係る電力管理システム１０の全体的なシステム構成を例示する。電力管理システム１０は、アグリゲータシステム１２及び需要家電力管理システム１４（電力管理システム：Ｅｎｅｒｇｙ  Ｍａｎａｇｅｍｅｎｔ  Ｓｙｓｔｅｍ、ＥＭＳ）を含んで構成される。なお、図示を簡略化するために、図１では、アグリゲータシステム１２に接続される需要家電力管理システム１４は一つのみ例示されているが、複数の需要家電力管理システム１４，１４，１４・・・がアグリゲータシステム１２に接続される。
【００２３】
アグリゲータシステム１２は、電力供給事業者１６と複数の需要家電力管理システム１４，１４，１４・・・との間に入り、電力供給事業者１６から送られる、大口の電力制限要請量である、デマンドレスポンス要請指令（ＤＲ要請指令、電力制限要請指令）を分配（小分け）して、各需要家電力管理システム１４，１４，・・・に対して小口の電力制限要請量である、デマンドレスポンス分配量（ＤＲ分配量、電力制限分配量）を割り当てる。
【００２４】
アグリゲータシステム１２は、インターネット網または電力網を含むネットワーク１８を介して電力供給事業者１６と接続される。またこれに加えて、アグリゲータシステム１２は、ネットワーク１８を介して、卸電力取引所２０及び気象情報提供者２１とも接続される。
【００２５】
アグリゲータシステム１２は、例えば計算機システム（コンピュータ）を含んで構成される。アグリゲータシステム１２は、ＣＰＵ２２（Ｃｅｎｔｒａｌ  Ｐｒｏｃｅｓｓｉｎｇ  Ｕｎｉｔ）、メモリ２４、入力部２６、表示部２７、及び入出力インターフェース２８がシステムバスを介して接続される。
【００２６】
メモリ２４は、例えばＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等のメモリや、ハードディスク等のストレージデバイスを含む、揮発性及び不揮発性メモリ（記憶媒体）から構成される。後述するように、メモリ２４には、ＤＲ予測に基づく電力管理プログラムのうち、コンピュータをアグリゲータシステム１２として機能させるプログラムが記憶されている。なお、当該プログラムが記憶された、ＣＤ−ＲＯＭやＤＶＤ等の記憶媒体を読み込むことで、コンピュータをアグリゲータシステム１２として機能させてもよい。また、メモリ２４には図２に示す機能構成図のように、電力価格データベース３０、電力使用実績データベース３２、デマンドレスポンス実績データベース３４が構成されている。これらの機能等については後述する。
【００２７】
ＣＰＵ２２は、メモリ２４やＣＤ−ＲＯＭやＤＶＤ等の記憶媒体に記憶された、ＤＲ予測に基づく電力管理プログラムの実行に伴い、図２に示すように、仮想的に複数の機能部が構築される。具体的には、ＣＰＵ２２は、電力需要予測部３６、デマンドレスポンス発令確率予測部３８、デマンドレスポンス要請量予測部４０、デマンドレスポンス成功率予測部４２、及びデマンドレスポンス分配量調整部４４を備える。なお、これらの機能部の一部を、他のコンピュータの機能部として持たせてもよい。
【００２８】
上記機能部のうち、デマンドレスポンス発令確率予測部３８が、特許請求の範囲における、指令予測部に対応する。また、デマンドレスポンス要請量予測部４０が、特許請求の範囲における、要請量予測部に対応する。また、デマンドレスポンス成功率予測部４２が、特許請求の範囲における、分配予測量算出部に相当する。さらに、デマンドレスポンス分配量調整部４４が、特許請求の範囲における、分配予測量調整部に対応する。これら各機能部の動作については後述する。
【００２９】
入力部２６は、例えばキーボードやマウス等で構成され、アグリゲータシステム１２の運用者等が電力管理に関する各種情報を入力可能となっている。表示部２７は例えばＬＣＤ等で構成され、ＣＰＵ２２の演算処理結果やメモリ２４に記憶された各種データベースの記憶内容を表示可能となっている。
【００３０】
図１に戻り、需要家電力管理システム１４は、ネットワーク１８を介して、アグリゲータシステム１２に接続される。需要家電力管理システム１４は、例えば計算機システム（コンピュータ）から構成される。
【００３１】
需要家がビルや大型商業施設等である場合、需要家電力管理システム１４はいわゆるビル・エネルギー・マネージメント・システム（Ｂｕｉｌｄｉｎｇ Ｅｎｅｒｇｙ Ｍａｎａｇｅｍｅｎｔ Ｓｙｓｔｅｍ、ＢＥＭＳ）から構成される。これを受けて、複数の需要家電力管理システム１４を束ねるアグリゲータシステム１２は、いわゆるＢＥＭＳアグリゲータとなる。
【００３２】
需要家電力管理システム１４は、自身が設けられた需要家に設置された、各種電気機器の電力管理を行う。図１に示す実施形態では、需要家電力管理システム１４は、太陽光発電装置４５（Ｐｈｏｔｏｖｏｌｔａｉｃｓ、ＰＶ）、負荷４７、及び蓄電池４９の電力管理を行う。後述するように、需要家電力管理システム１４は、アグリゲータシステム１２から分配されるＤＲ分配量に応じて、上記電気機器の電力管理を行う。
【００３３】
負荷４７は、例えば照明装置や空調装置、昇降機等が含まれる。また蓄電池４９は、例えばニッケル水素二次電池やリチウムイオン二次電池から構成され、例えば１０ｋＷｈ以上２００ｋＷｈ程度の容量を備える。需要家電力管理システム１４は、これらの電気機器のエネルギー使用に関するに対する方針・目的・目標等を需要家のオーナー等から予め取得し、これを実現するための計画を立て、当該計画に沿って各種電気機器の制御を行う。
【００３４】
需要家電力管理システム１４は、ＣＰＵ４６、メモリ４８、入力部５１、表示部５３、検出部５５、及び入出力インターフェース５７がシステムバスを介して接続される。
【００３５】
メモリ４８は、例えばＲＡＭ、ＲＯＭ等のメモリや、ハードディスク等のストレージデバイスを含む、揮発性及び不揮発性メモリ（記憶媒体）から構成される。後述するように、メモリ４８には、ＤＲ予測に基づく電力管理プログラムのうち、コンピュータを需要家電力管理システム１４として機能させるプログラムが記憶されている。なお、当該プログラムが記憶された、ＣＤ−ＲＯＭやＤＶＤ等の記憶媒体をＣＰＵ４６が読み込むことで、コンピュータを需要家電力管理システム１４として機能させてもよい。さらに、メモリ４８には図３に示す機能構成図のように、要求仕様データベース５９が構成されている。
【００３６】
ＣＰＵ４６は、メモリ４８やＣＤ−ＲＯＭやＤＶＤ等の記憶媒体に記憶された、ＤＲ予測に基づく電力管理プログラムの実行に伴い、図３に示すように、仮想的に複数の機能部が構築される。具体的には、ＣＰＵ４６は、太陽光発電（ＰＶ）量予測部５２、蓄電池制御計画作成部５４、及び蓄電量下限値設定部５６、及び需要家電力管理システム１４が管理対象とする電気機器（太陽光発電装置４５、負荷４７、及び蓄電池４９）を制御するコントローラ５０を備える。なお、これらの機能部の一部を、他のコンピュータに持たせてもよい。また、デマンドレスポンスの一態様として、電力管理対象の負荷４７の消費電力を制限する負荷制御が知られているが、これに関する機能部については、適宜図示を省略する。
【００３７】
上記機能部のうち、蓄電量下限値設定部５６が、特許請求の範囲における、蓄電量下限値設定部に対応する。また、蓄電池制御計画作成部５４が、特許請求の範囲における、蓄電池制御部に対応する。これら各機能部の動作については後述する。
【００３８】
入力部５１は、例えばキーボードやマウス等で構成され、需要家電力管理システム１４の運用者等が電力管理に関する各種情報を入力可能となっている。表示部５３は例えばＬＣＤ等で構成され、ＣＰＵ４６の演算処理結果やメモリ４８に記憶された各種データベースの記憶内容を表示可能となっている。検出部５５は、図示しない電力計、電圧センサ、電流センサ、温度センサ等から、需要家電力管理システム１４が管理対象とする電気機器の消費電力、電圧、電流、及び温度変化等を検出する。入出力インターフェース５７は、アグリゲータシステム１２から送信される各種情報を受信する受信部として機能する。
【００３９】
＜デマンドレスポンス予測に基づく電力管理プロセス＞
図４に、本実施形態に係る、デマンドレスポンス予測に基づく電力管理プロセスの概要が例示されている。当該プロセスでは、図４上段に示されるように、実際にデマンドレスポンス指令（電力制限要請指令、ＤＲ指令）が電力供給事業者から発令される前に、電力供給事業者１６からアグリゲータシステム１２に対して配分されると予想される、大口の電力制限要請の予測量である、デマンドレスポンス要請予測量（電力制限要請予測量、ＤＲ要請予測量）が算出される。
【００４０】
次に、（大口の）ＤＲ要請予測量が、各需要家向けに小口に分配される。この分配値を、以下ではデマンドレスポンス分配予測量（電力制限分配予測量、ＤＲ分配予測量）と呼ぶ。本実施形態では、図４下段に示されるように、各蓄電池４９の蓄電量以下となるように、それぞれのＤＲ分配予測量が調整される。さらに、ＤＲ指令が発令されると予測される発令予定時刻における各蓄電池４９の蓄電量下限値が、調整後のＤＲ分配予測量の全量を含むように、当該蓄電量下限値が設定される。さらに、各蓄電池４９の蓄電量のうち、設定後の蓄電量下限値を超過する余剰分が、例えばピークカット等の、デマンドレスポンス以外の用途に用いることのできる放電可能量に設定される。
【００４１】
本実施形態に係る、ＤＲ予測に基づく電力管理プロセスでは、アグリゲータシステム１２側の処理と、需要家電力管理システム１４側の処理に大きく分けることができる。図５にはアグリゲータシステム１２のプロセスフローが例示されている。当該フローは、例えば、ＤＲ指令が発令される前であって、ＤＲ指令の発令可能性の低い時間帯であり、かつ、各需要家に設置された蓄電池４９の蓄電量が比較的多い（例えば、平均ＳＯＣが７０％以上）であるときに実行される。例えば、相対的に電気料金の低い深夜帯に蓄電池４９に充電が行われるように、蓄電池４９の運用が定められているような場合には、早朝（例えば午前６時）に当該フローが実行される。
【００４２】
アグリゲータシステム１２は、自身と契約した需要家（配下の需要家）の中から、電力需要予測がまだ行われていない需要家を選択する（Ｓ１００）。次に選択された需要家に対して、電力需要予測部３６は、電力需要予測処理を実行する（Ｓ１２０）。
【００４３】
図６には、ステップＳ１２０の電力需要予測処理の詳細が例示されている。電力需要予測部３６は、メモリ２４内の電力使用実績データベース３２から、選択された需要家の電力使用実績データを取得する（Ｓ１２２）。
【００４４】
取得する電力使用実績データは、図５のフローが実行される日（以下、単にフロー実行日と呼ぶ）と電力使用条件が近似している日の電力使用実績データであることが好適である。例えば、経済産業省のガイドラインにより定められた、いわゆるネガワット取引に用いられるベースラインを算出する際に用いられる、Ｈｉｇｈ  ｋ  ｏｆ  ｎの手法を用いてよい。すなわち、フロー実行日が平日である場合、土曜日、日曜日、及び祝日を除く直近ｎ日間（例えば５日間）のうち、平均電力需要量の多いｋ日間（例えば４日間）の電力需要データを取得する。この電力需要データは、例えば所定の開始時刻から終了時刻（例えば午前８時から午後８時）までの３０分単位の電力需要実績が示される。
【００４５】
次に電力需要予測部３６は、電力需要に関連度の高いパラメータを取得する（Ｓ１２４）。例えば需要家施設がオフィスビルである場合、オフィスビル全体の電力消費に対する、空調の電力消費の比率は約５０％となることが知られている。空調の運転状況は気温や湿度に応じて変化する。これを受けて電力需要予測部３６は、電力需要に関連度の高いパラメータとして、気象情報提供者２１より、フロー実行日における、予想気温や予想湿度を含む気象情報を取得する。
【００４６】
また、需要家施設の利用状況も電力需要に関連することから、電力需要予測部３６は、選択された需要家の需要家電力管理システム１４に、需要家施設の利用状況等のデータを取得する。利用状況のデータは、例えば、営業日カレンダー、設備予約状況、テナント入居状況、従業員出勤予定、節電施策の実施有無、設備異常・故障の有無、機器のリプレース情報を示すデータが含まれる。
【００４７】
次に電力需要予測部３６は、電力使用実績データベース３２から取得した電力使用実績データと、電力需要に関連度の高いパラメータから、選択された需要家における、フロー実行日の電力需要を予測する（Ｓ１２６）。例えばステップＳ１２２にて取得したベースラインに、需要家施設内の利用状況に応じた補正係数を乗じた値を、フロー実行日の電力需要予測値とする。
【００４８】
図５に戻り、アグリゲータシステム１２は、自身と契約した需要家の中から、電力需要予測が未処理の需要家がいるか否か、言い換えると、電力需要予測がまだ行われていない需要家がいるか否かを判定する（Ｓ１４０）。電力需要予測が未処理の需要家がいる場合には、ステップＳ１００に戻って再度電力需要予測が行われる。
【００４９】
ステップＳ１４０にてすべての需要家に対して電力需要予測が行われたと判定されると、アグリゲータシステム１２のデマンドレスポンス発令確率予測部３８（指令予測部）は、ＤＲ指令（電力制限要請指令）の発令有無を判定する（Ｓ１６０）。この発令有無の判定は、電力供給事業者１６の電力供給能力（予測）及び当該電力供給事業者１６に対する電力需要（予測）に基づいて行われる。
【００５０】
図７には、ステップＳ１６０のデマンドレスポンス発令（ＤＲ発令）確率予測処理の詳細が例示されている。ＤＲ発令確率予測部３８は、電力供給事業者から、電力供給能力、電力供給事業者の予想電力使用量、過去の電力使用実績データ、及び過去のＤＲ実績データを取得する（Ｓ１６２）。例えば、各電力会社が運営する電力需要のデータシステムである「でんき予報（登録商標）」から、これらのデータを取得する。これらのデータは所定の時間区切り、例えば３０分単位に区切って提供される。
【００５１】
次に、ＤＲ発令確率予測部３８は、予めメモリ２４に記憶された、ＤＲ発令確率特性式に基づいて、ＤＲ発令確率を算出する（Ｓ１６４）。図８に、ＤＲ発令確率特性式が例示されている。横軸は予想電力使用率であり、電力供給事業者の予想電力使用量を電力供給能力で除したパラメータである。また、縦軸はＤＲ発令確率が示されている。
【００５２】
ＤＲ発令確率特性式は、曲線式を用いる場合、下記数式（１）のようなロジスティック回帰によって求めることができる。
【００５３】
【数１】
2018033273.tif 000003
【００５４】
数式（１）のうちｙはＤＲ発令確率、Ｋは任意の定数、−ａｘ＋ｂは説明変数を表す。この説明変数には、デマンドレスポンスの発令に関連するパラメータが含まれる。例えば、電力使用率とＤＲ発令確率は高い相関を持つことから、過去の電力使用率の推移及びこれに併せたＤＲ発令の有無の傾向から、ＤＲ発令確率を記述する説明変数が導き出される。また、卸電力取引所におけるフロー実行日の電力卸価格が相対的に低額であれば、電力供給事業者は卸電力取引所から電力を調達すると見込まれるので、ＤＲ発令確率はその分低くなる。ＤＲ発令確率予測部３８は、卸電力取引所２０（図１参照）または電力価格データベース３０から電力卸価格を取得して、これをＤＲ発令確率特性式のパラメータに含める。また、過去の電力使用率の推移及びこれに併せたＤＲ発令の有無のデータを、ＤＲ発令確率特性式のパラメータに含める。
【００５５】
さらに、夏季の晴天時や高温時、及び高湿時には空調の消費電力が高くなることが見込まれることから、これらの情報も数式（１）の説明変数に含めてもよい。この場合、ＤＲ発令確率予測部３８は、気象情報提供者２１（図１参照）よりフロー実行日の天気予報、予想最高気温、予想最高湿度等の情報を取得し、数式（１）に適宜代入する。
【００５６】
なお、図８に示す例では、ＤＲ発令確率特性式が予想最高気温で変動する例が示されている。ＤＲ発令確率予測部３８は、数式（１）に各種パラメータを代入することで得られたＤＲ発令確率特性式に、予想電力使用率をプロットし、これに対応するＤＲ発令確率を求める。
【００５７】
図５に戻り、ＤＲ発令確率予測部３８は、求められたＤＲ発令確率が、所定の閾値［％］以上であるか否かを判定する。閾値は、例えば３０％以上５０％以下に設定される。ステップＳ１６０にて求められたＤＲ発令確率が閾値未満である場合、デマンドレスポンスの発令無しと判定され、フローが終了する。一方、ＤＲ発令確率が閾値以上であると、デマンドレスポンスの発令有りと判定される。
【００５８】
上述したように、電力供給事業者の予想電力使用量は３０分区切り等の時間区切りで提供される。したがって、ＤＲ発令確率は当該時間区切りごとに順次算出される。このことから、ステップＳ１６０にて求められたＤＲ発令確率が閾値未満から閾値以上に切り替わった時刻が求められ、これがデマンドレスポンス発令予定時刻（ＤＲ発令予定時刻）となる。また、ＤＲ発令確率が閾値以上から閾値未満に切り替わった時刻がデマンドレスポンス終了予定時刻（ＤＲ終了予定時刻）となる。
【００５９】
ステップＳ１８０にてＤＲ発令有りと判定されると、次に、電力供給事業者１６からアグリゲータシステム１２に対して配分されると予想されるデマンドレスポンス要請予測量（ＤＲ要請予測量）が予測される（Ｓ２００）。図９に、ＤＲ要請予測量の予測処理が例示されている。アグリゲータシステム１２のＤＲ要請量予測部４０は、アグリゲータシステム１２のメモリ２４に格納されたデマンドレスポンス実績データベース３４（ＤＲ実績ＤＢ）から、電力供給事業者１６からアグリゲータシステム１２に対して配分された、過去のＤＲ実績、言い換えると、実際に電力供給事業者１６からアグリゲータシステム１２に発令された、デマンドレスポンス要請量を取得する（Ｓ２０２）。
【００６０】
ＤＲ実績データベース３４には、実際にデマンドレスポンスが発令された割合や、実際にデマンドレスポンスが発令されたときの、電力供給事業者１６からアグリゲータシステム１２へのＤＲ要請量（電力制限実績量）が記憶されている。ＤＲ要請量予測部４０は、これらのデータに基づいて、図１０に示すようなＤＲ要請予測量特性式を求める。
【００６１】
図１０には、２種類のＤＲ要請予測量特性式が例示されている。一方は、数式（１）と同様のロジスティック回帰によるものであり、他方は、下記数式（２）に示す線形回帰によるものである。なお、横軸はＤＲ発令確率を示し、縦軸はＤＲ要請予測量を示す。
【００６２】
【数２】
2018033273.tif 000004
【００６３】
数式（２）のうち、ｙはＤＲ発令確率、ａｘ＋ｂは説明変数を示す。ＤＲ要請量予測部４０は、数式（１）及び数式（２）のＤＲ要請予測量特性式を適宜選択した上で、当該特性式にステップＳ１６０で取得したＤＲ発令確率をプロットし、電力供給事業者１６からアグリゲータシステム１２へのＤＲ要請予測量（電力制限要請予測量）を求める（Ｓ２０６）。
【００６４】
図５に戻り、アグリゲータシステム１２は、各需要家のデマンドレスポンス成功率（ＤＲ成功率）を予測する。まずアグリゲータシステム１２は、ＤＲ成功率予測が未処理の任意の需要家を選択する（Ｓ２２０）。未処理の需要家が選択されると、アグリゲータシステム１２のデマンドレスポンス成功率予測部４２（ＤＲ成功率予測部）は、ＤＲ成功率予測処理を実行する（Ｓ２４０）。
【００６５】
図１１に、ＤＲ成功率予測処理を例示する。ＤＲ成功率予測部４２（分配予測量算出部）は、大口のＤＲ予測量であるＤＲ要請予測量を小口に分配したＤＲ分配予測量（電力制限分配予測量）の初期値を求める（Ｓ２４２）。例えばＤＲ要請予測量を、配下の需要家数で単純に割った値を、ＤＲ分配予測量の初期値とする。
【００６６】
次にＤＲ成功率予測部４２は、選択された需要家に設けられた需要家電力管理システム１４に問い合わせて、当該需要家電力管理システム１４が電力管理の対象とする、蓄電池４９の、ＤＲ発令予定時刻における蓄電量（蓄電池残量）の予測値あるいは計画値及び蓄電量下限値を求める（Ｓ２４４）。ＤＲ発令予定時刻における蓄電量（蓄電池残量）の予測値あるいは計画値は、例えば図６にて求めた各需要家の電力需要予測量、特に、ステップＳ２４４実行時からＤＲ発令予定時刻までの電力需要予測量、需要家電力管理システム１４の要求仕様データベース５９に記憶された、蓄電池の電力消費ポリシー、及び、ステップＳ２４４実行時における、各需要家の蓄電池４９の蓄電量をもとに、求めることができる。
【００６７】
なお、上記したステップＳ２４４では、需要家電力管理システム１４への問い合わせに代えて、またはその一部を、アグリゲータシステム１２に記憶された情報に基づいて、蓄電池４９の、ＤＲ発令予定時刻における蓄電量（蓄電池残量）の予測値あるいは計画値を取得してもよい。例えば、アグリゲータシステム１２のメモリ２４に、各需要家の電力使用実績と蓄電池４９の充放電履歴を記録するデータベースを構築しておく。さらに、図６にて示したＤＲ発令予定時刻における各需要家の電力需要の予測量と、当該電力需要に対応する蓄電池４９の蓄電量を、メモリ２４内のデータベースから取り出すようにしてもよい。
【００６８】
なお、図１２に示すように、蓄電量下限値は、一般的に、蓄電池４９の過放電劣化を防止するために定められるＳＯＣ下限値と、いわゆるＢＣＰ（Ｂｕｓｉｎｅｓｓ Ｃｏｎｔｉｎｕｉｔｙ Ｐｌａｎ）、すなわち非常用電源として常時確保しておくべき蓄電量の和を含んで構成される。
【００６９】
ＤＲ成功率予測部４２は、選択された需要家のＤＲ分配予測量（初期値）と蓄電池４９のデータから、ＤＲ成功率を求める（Ｓ２４６）。ここで、本実施形態に係るＤＲ成功率とは、ＤＲ分配予測量の全量を蓄電値の放電量で賄うことができるか否かを保障する確率を指す。したがって、負荷の出力を抑制させてＤＲ要請量を賄ういわゆる負荷制御は、上記ＤＲ成功率のパラメータとしては使用されない。
【００７０】
ＤＲ成功率予測部４２は、図１２に示すようなＤＲ成功率特性式を用いて、ＤＲ成功率を求める。ＤＲ成功率特性式は、例えば、数式（１）に示すようなロジスティック回帰により求められる。横軸は、蓄電量−蓄電量下限値−ＤＲ分配予測量で求められる判定値を示し、縦軸はＤＲ成功率を示す。判定値が正側に行くほど、ＤＲ分配予測量を蓄電池４９の放電量で賄うときの余裕が大きいことになるから、ＤＲ成功率は相対的に高くなる。また、上記判定値が負側に行くほど、ＤＲ分配予測量を蓄電池４９の放電量で賄うときの余裕が無くなることから、ＤＲ成功率は相対的に低くなる。ＤＲ成功率予測部４２は、図１２の特性式に判定値をプロットし、選択された需要家に対応するＤＲ成功率を求める。
【００７１】
図５に戻り、アグリゲータシステム１２は、ＤＲ成功率の算出が未処理の需要家があるか否かを判定する（Ｓ２６０）。未処理の需要家がある場合はステップＳ２２０に戻り、ＤＲ成功率を算出する。すべての需要家に対してＤＲ成功率が算出された場合、アグリゲータシステム１２のデマンドレスポンス分配量調整部４４（ＤＲ分配量調整部、分配予測量調整部）は、ＤＲ分配予測量（電力制限分配予測量）を、ＤＲ成功率に基づいて調整（再分配）する（Ｓ２８０）。
【００７２】
図１３にＤＲ分配調整処理を例示する。ＤＲ分配量調整部４４は、ＤＲ成功率予測部４２から、各需要家のＤＲ成功率及びＤＲ成功率特性式を取得する（Ｓ２８２）。さらにＤＲ分配量調整部４４は、各需要家のＤＲ成功率が所定値に収束するように、ＤＲ分配予測量を再分配する（Ｓ２８４）。
【００７３】
上述したように、本実施形態に係るＤＲ成功率は、要するに蓄電池４９の余剰蓄電量（蓄電量−蓄電量下限値）にてＤＲ分配予測量を賄えるか否かが反映されている。したがって余剰蓄電量よりもＤＲ分配予測量が多いような需要家は、ＤＲ成功率は０％に近くなる。ＤＲ分配量調整部４４は、このようなＤＲ成功率の低い需要家のＤＲ分配予測量の一部を、ＤＲ成功率の高い（１００％を超過するような）需要家に移し変える操作を行って、各需要家のＤＲ成功率を所定のＤＲ成功率に揃える。
【００７４】
一例として、所定のＤＲ成功率とは１００％を指す。蓄電池４９に余裕を持たせるために、ＤＲ成功率を１００％以上の値に設定してもよい。つまりこのステップでは、各需要家（厳密には需要家電力管理システム１４）が管理する蓄電池４９の蓄電量（厳密には余剰蓄電量）以下となるように、当該需要家に分配されるＤＲ分配予測量が調整される。
【００７５】
さらにＤＲ分配量調整部４４は、各需要家に分配される調整後のＤＲ分配予測量の総和と、調整前（初期値）のＤＲ分配予測量の総和とを比較する（Ｓ２８６）。調整前のＤＲ分配予測量の総和が調整後のＤＲ分配予測量の総和以下であれば、そのままＤＲ分配量調整処理は終了する。一方、調整前（初期値）のＤＲ分配予測量の総和が調整後のＤＲ分配予測量の総和を超過しており、調整後のＤＲ分配予測量では調整前のＤＲ分配予測量を賄えない場合、ＤＲ分配量調整部４４は、ＤＲ分配予測量の超過分（賄えない分）を負荷制御に振り分ける（Ｓ２８８）。例えば、図６にて求めた全需要家の電力需要予測量に対する負荷制御量（電力管理対象となる負荷４７の消費電力制限量）の比率が一律となるように、負荷制御量を振り分ける。
【００７６】
上述したように、本フローは、各需要家の蓄電池４９が十分に充電されたタイミングで実行されるが、夏季にて晴天かつ小風量と予報され、その上電力供給事業者に大規模な風力発電プラントが設けられている場合等、ＤＲ要請予測量が比較的大きな値となる場合がある。このようなケースに備え、本実施形態では、万が一、各需要家の蓄電池４９の余剰蓄電量の総量で（大口の）ＤＲ要請予測量の全量が賄えないような場合を想定して、負荷制御への負担配分を行う。
【００７７】
負荷制御は既知であることから、ここでは簡単に説明する。アグリゲータシステム１２は、予め、各需要家電力管理システム１４から、当該システムが管理する電気機器（主に負荷）の余力（削減可能電力量）を取得している。アグリゲータシステム１２は、各需要家の余力に応じてＤＲ分配予測量の超過分を分配する。
【００７８】
図５に戻り、アグリゲータシステム１２は、調整後のＤＲ分配予測量を需要家電力管理システム１４に送信する（Ｓ３００）。また必要に応じて、ＤＲ予測分配量の超過分に基づく負荷制御量を送信する。さらにアグリゲータシステム１２は、ＤＲ発令確率、ＤＲ発令予定時刻、及びＤＲ終了予定時刻を需要家電力管理システム１４に送信する。
【００７９】
図１４には、需要家電力管理システム１４のフローが例示されている。なお、このフローでは、既知である負荷制御とは独立して実行可能であり、便宜上、負荷制御のフローは図示を省略している。
【００８０】
調整後のＤＲ分配予測量を受信した需要家電力管理システム１４は、自身が管理する電気機器に、太陽光発電装置４５（ＰＶ発電装置）が含まれるか否かを判定する（Ｓ４２０）。太陽光発電装置４５が含まれていない場合は、そのままステップＳ５００までスキップする。
【００８１】
電力管理の対象に太陽光発電装置４５が含まれる場合、需要家電力管理システム１４のＰＶ発電量予測部５２は、太陽光発電に関連度の高いパラメータを取得する（Ｓ４４０）。当該パラメータは、例えば太陽光発電装置に関連するものと、外部環境に関連するものに大別される。前者は例えばパネル方位や定格発電量を指し、需要家電力管理システムのメモリ４８に予め記憶させておくことができる。また後者は例えば天気（晴天、曇天、雨天等）、日射量、気温、降水量、雲量等であり、アグリゲータシステム１２を介して、気象情報提供者２１から取得できる。
【００８２】
次にＰＶ発電量予測部５２は、図１５に示すような太陽光発電量モデルを用いて太陽光発電予測量を求める（Ｓ４６０）。太陽光発電量モデルでは、横軸を日射量（予測値）、縦軸を太陽光発電量とし、日射量の予測値をプロットすることで太陽光発電予測量を求める。また、太陽光発電量モデルの別例として、例えば需要家の所在地（ビル住所等）の大気外日射量と天気別発電係数を学習しておき、天気予報に基づいて太陽光発電予測量を求めてもよい。また、天気別に過去数日分の太陽光発電実績量を平均化して太陽光発電予測量を求めてもよい。
【００８３】
次に、蓄電池制御計画作成部５４（図３参照、蓄電池制御部）は、アグリゲータシステム１２のデマンドレスポンス分配量調整部４４（分配予測量調整部）（図２参照）により算出されたＤＲ分配予測量から、ＰＶ発電量予測部５２から取得した太陽光発電予測量を差し引く（Ｓ４８０）。
【００８４】
次に、需要家電力管理システム１４の蓄電量下限値設定部５６は、アグリゲータシステム１２のＤＲ分配量調整部４４にて調整され、またＰＶ発電量予測部５２により太陽光発電予測量が差し引かれた、ＤＲ分配予測量の全量を少なくとも含むように、ＤＲ発令予定時刻における蓄電池４９の蓄電量下限値を設定する（Ｓ５００）。
【００８５】
図１６には、ステップＳ５００の処理が模式的に例示されている。図１６上段に、当該処理前の蓄電池４９の設定状態が示され、下段に処理後の設定状態が示されている。蓄電量下限値設定部５６は、ＳＯＣ下限値及びＢＣＰ用の蓄電量を含む蓄電量下限値に、ＤＲ分配予測量を積み増しして、蓄電量下限値を嵩上げする。これをＤＲ発令予定時刻における、蓄電量下限値に設定する。
【００８６】
次に蓄電池制御計画作成部５４（蓄電池制御部）は、予めメモリ４８に記憶された、蓄電池４９に対する要求仕様データベース５９から、蓄電池４９の制御パラメータを取得する（Ｓ５２０）。
【００８７】
要求仕様とは、要するに需要者が要求する蓄電池４９の仕様であり、例えば電圧範囲、作動時間、休止時間を含む電気特性、充電時間やサイクル充電／トリクル充電等の充電方式を含む充電条件、使用温度範囲や湿度範囲を含む温度・湿度条件、電池寿命、寸法、質量、形状等の情報（制御パラメータ）を含む。
【００８８】
加えて、要求仕様データベース５９には、蓄電池４９のＳＯＣ下限値、ＳＯＣ上限値、最大放電電流値、最大充電電流値、充電開始時刻、充電終了時刻、放電条件等の制御パラメータが定められる。これらのパラメータは、例えば、予め需要家の使用者（ビルオーナー等）とアグリゲータシステム１２の運用者との間で定められる。例えば、蓄電池４９の劣化を抑制させ長寿命とするために、最大放電電流値及び最大充電電流値が相対的に低く（絞り目に）設定される。また、医療施設や介護施設等が含まれる需要家では、ＢＣＰ用の蓄電量が相対的に多めに設定される。
【００８９】
蓄電池制御計画作成部５４は、嵩上げ後の蓄電量下限値と、要求仕様データベース５９から、蓄電池４９の制御計画を作成する（Ｓ５４０）。具体的には、嵩上げ後の蓄電量下限値から超過する余剰分の蓄電量を、ＤＲ発令予定時刻までの放電可能量に割り当てる。例えば、割り当てられた放電可能量を、ＤＲ発令予定時刻までの買電量削減のために用いる。この放電可能量の消費パターンは、例えば電気料金が最小となるような制約条件であったり、蓄電池４９の寿命が最大となるような制約条件を適用することで定めることができる。
【００９０】
＜ＤＲ発令予定時刻以降の蓄電池制御＞
図１７には、ＤＲ発令予定時刻以降の、需要家電力管理システム１４による蓄電池制御フローが例示されている。ＤＲ発令予定時刻に到達すると、需要家電力管理システム１４は、アグリゲータシステム１２に問い合わせて、電力供給事業者１６からデマンドレスポンス要請（ＤＲ要請）が発令されたか否かを確認する（Ｓ６０２）。または、需要家電力管理システム１４自身の設定状況を確認し、ＤＲ要請を受信したか否かを確認する。
【００９１】
ＤＲ要請が発令された場合、需要家電力管理システム１４の蓄電量下限値設定部５６は、蓄電量下限値のうち、ＤＲ分配予測量分を開放して放電可能量に回す（Ｓ６０４）。なお、ＤＲ分配予測量分を開放しても、実際のＤＲ要請の全量を賄えない場合は、上述したＢＣＰ用の蓄電量の一部をデマンドレスポンス用に割り当ててもよい。
【００９２】
ステップＳ６０４による放電可能量の増加を受けて、蓄電池制御計画作成部５４は、蓄電池４９の制御計画を変更し（Ｓ６０６）、実際のＤＲ要請量を蓄電池４９からの放電電力で賄う（Ｓ６０８）。これをＤＲ要請が終了するまで継続する（Ｓ６１０）。
【００９３】
ステップＳ６０２に戻り、ＤＲ発令予定時刻に至ってもＤＲ要請が発令されない場合、需要家電力管理システム１４は、アグリゲータシステム１２から送られたＤＲ発令確率を所定割合で引き下げる（Ｓ６１２）。例えばＤＲ発令予定時刻におけるＤＲ発令確率が１００％であり、ＤＲ発令時刻に至ったときにＤＲ要請が無かった場合、需要家電力管理システム１４は、ＤＲ発令確率を１００％から９０％に引き下げる。
【００９４】
次に蓄電量下限値設定部５６は、ＤＲ発令確率の引き下げに応じて、蓄電量下限値を所定割合で引き下げる（Ｓ６１４）。例えばＤＲ発令確率が１００％から９０％に引き下げられた場合、蓄電量下限値も１０％引き下げられる。
【００９５】
蓄電量下限値の引き下げに応じて、蓄電池制御計画作成部５４は、蓄電池制御計画を変更する（Ｓ６１６）。例えば蓄電量下限値の引き下げに伴って放電可能量が増加するので、その分負荷４７への自家放電に割り当てる。
【００９６】
さらに需要家電力管理システム１４は、ＤＲ終了予定時刻に到達したか否かを判定する（Ｓ６１８）。ＤＲ終了予定時刻に到達した場合、フローが終了する。一方、ＤＲ終了予定時刻にまだ到達していない場合、所定時間待機（Ｓ６２０）の後、ステップＳ６０２に戻る。
【００９７】
このように本実施形態では、ＤＲ発令予定時刻以降にＤＲ要請（電力要請指令）が送られない場合に、当該ＤＲ発令予定時刻以降の時間経過に応じて蓄電量下限値を漸次引き下げる。このようにすることで、放電可能量が増加し、自家放電やいわゆるピークカットに回せる蓄電量が増加する。
【００９８】
＜第２の実施形態＞
図１８には、第２の実施形態に係る電力管理システム１０が例示されている。この例では、アグリゲータシステム１２と契約関係にある複数の需要家のうち、一部の需要家（需要家電力管理システム１４Ａ）に蓄電池４９が設けられ、他の需要家（需要家電力管理システム１４Ｂ）には蓄電池４９が設けられていないケースが例示されている。本実施形態では、このような場合において、蓄電池４９が設けられていない需要家に分配されたＤＲ分配予測量の少なくとも一部を、蓄電池４９が設けられた需要家が肩代わりする。
【００９９】
図１９には、本実施形態に係る、ＤＲ予測に基づく電力管理プロセスのうち、アグリゲータシステム１２側のフローが例示されている。当該フローは、図５のステップＳ２２０、Ｓ２８０及びＳ３００の代わりにステップＳ７００、Ｓ７２０、Ｓ７４０が設けられたもので、残りのステップは図５のものと同様である。
【０１００】
なお、図５に示すフローでは、ステップＳ２４０のＤＲ成功率予測処理において、ＤＲ要請予測量からＤＲ分配予測量の初期値を求めて（Ｓ２４２）いたが、図１９のフローにおいてもステップＳ２４０で同様の処理を実行する。ここで、ＤＲ分配予測量の初期値を配下の需要家数で割った値とする場合には、当該配下の需要家数を、蓄電池４９の保有者数と非保有者数の総和としてもよい。
【０１０１】
ステップＳ７００にて、ＤＲ成功率予測が未処理の需要家が選択される。このとき、選択候補となるのは、蓄電池４９の保有者に限られる。ＤＲ分配予測量を蓄電池４９の蓄電量で賄えるか否かを示すＤＲ成功率予測を、蓄電池４９の非保有者に対して求めたとしても、必ず０％になることから、ここでは需要家の候補として蓄電池４９の非保有者を除外している。
【０１０２】
さらにステップＳ７２０では、ＤＲ分配予測量の調整が行われる。ＤＲ分配予測量の調整処理が図２０に例示される。この処理フローでは、図１３のステップＳ２８４の代わりにステップＳ７２２が設けられており、残りのステップは図１３の各ステップと同様である。
【０１０３】
ステップＳ７２２では、ＤＲ分配量調整部４４（要請予測量調整部）によって、各需要家のＤＲ成功率が所定値（例えば１００％）に収束するように、各需要家のＤＲ分配予測量が調整される。
【０１０４】
このステップにおいて、ＤＲ分配予測量の調整対象の需要家は、蓄電池保有需要家のみであって、蓄電池非保有需要家は調整対象から外される。さらに、調整対象となるＤＲ分配予測量は、蓄電池保有需要家のＤＲ分配予測量のみならず、蓄電池非保有需要家のＤＲ分配予測量の少なくとも一部が含まれる。
【０１０５】
例えばこのステップＳ７２２では、蓄電池非保有需要家のＤＲ予測分配量は初期値から０に設定変更され、当該初期値は調整対象となるＤＲ分配予測量に加えられる（プールされる）。例えば、蓄電池非保有需要家のＤＲ予測分配量の総和を、蓄電池保有需要家の総数で割った値を、蓄電池保有需要家に割り当てる。その後、ＤＲ分配量調整部４４（要請予測量調整部）は、蓄電池保有需要家のＤＲ成功率が所定値（例えば１００％）に収束するように、各需要家のＤＲ分配予測量が調整される。
【０１０６】
調整前のＤＲ分配予測量の総和が調整後のＤＲ分配予測量を超過する場合（Ｓ２８６）、その超過分は負荷制御に回される（Ｓ２８８）。この負荷制御では、蓄電池４９の保有の有無に関わらず、すべての需要家に対して負荷制御量が分配される。分配調整後、蓄電池保有需要家に、調整後のＤＲ分配予測量、ＤＲ発令確率、ＤＲ発令予定時刻、ＤＲ終了予定時刻、及び負荷制御量が送信される（Ｓ７４０）。また、蓄電池非保有需要家に、ＤＲ発令確率、ＤＲ発令予定時刻、ＤＲ終了予定時刻、及び負荷制御量が送信される。
【０１０７】
蓄電池４９を保有しない需要家は、本来、ＤＲ分配予測量の全量を負荷制御にて賄わなければならないが、本実施形態のように、その少なくとも一部を、蓄電池４９を保有する需要家の蓄電量で賄うことで、蓄電池４９を保有しない需要家の負荷制御負担を軽減できる。
【０１０８】
例えば蓄電池４９を保有する需要家Ａと蓄電池４９を保有しない需要家Ｂとで保有者（ビルオーナー等）が同一である場合には、このようなＤＲ量の融通を通して、需要家Ｂに蓄電池４９を設置させる場合と同等の効果を得ることができる。
【０１０９】
デマンドレスポンス終了後、アグリゲータシステム１２は、各需要家のＤＲ結果を集計して、インセンティブ提供の算定基準を電力供給事業者に通知する。この集計の際に、蓄電池４９を保有しない需要家のＤＲ要請量の一部を負担した、蓄電池４９を保有する需要家に対して、インセンティブを加算するようにしてもよい。
【０１１０】
図２１には、ＤＲ結果の集計フローが例示されている。アグリゲータシステム１２は、デマンドレスポンスの終了後、各需要家のＤＲ実績を収集する（Ｓ７５０）。例えば、実際のＤＲ要請量に対するＤＲ実績量を収集する。
【０１１１】
次にアグリゲータシステム１２は、ＤＲ実績に応じたＤＲ貢献度を算出する（Ｓ７５２）。例えばＤＲ分配予測量とＤＲ実績量との比較により、ＤＲ貢献度を算出する。
【０１１２】
ここで、ＤＲ実施前の、ＤＲ分配予測量を分配する段階（ステップＳ７２２）で、蓄電池保有の需要家のＤＲ分配予測量に、蓄電池非保有の需要家のＤＲ分配予測量の一部が割り当てられていた場合は、割り当て前のＤＲ分配予測量をベースに、ＤＲ実績量との比較を行う。つまり、蓄電池保有の需要家については、最終的なＤＲ分配予測量から割り当て分が差し引かれた量とＤＲ実績量とが比較される。蓄電池非保有の需要家については、最終的なＤＲ分配予測量から割り当て分が足し込まれた量とＤＲ実績量とが比較される。
【０１１３】
このような操作を行うことで、多くの場合において、蓄電池保有の需要家のＤＲ実績は、ＤＲ分配予測量を上回ることとなり、相対的に高い貢献度を得ることができる。一方、蓄電池非保有の需要家のＤＲ実績は、ＤＲ分配予測量を下回ることとなり、相対的に低い貢献度が与えられる。
【０１１４】
次に、アグリゲータシステム１２は、各需要家のＤＲ成否と貢献度を電力供給事業者１６へ通知する（Ｓ７５４）。例えばＤＲ実績量／ＤＲ分配予測量の割合が１００％未満である場合には、ＤＲ成否として「失敗」と判定され、ＤＲ実績量／ＤＲ分配予測量の割合が１００％以上である場合には、ＤＲ成否として「成功」と判定される。各需要家のＤＲ成否及び貢献度に加えて、アグリゲータシステム１２としてのＤＲ成否及び貢献度を電力供給事業者１６に通知してもよい。すなわち、電力供給事業者１６からアグリゲータシステム１２に要請されたＤＲ要請量と、ＤＲ実績量、つまり、全需要家のＤＲ実績量の総和に基づいて、アグリゲータシステム１２のＤＲ成否及び貢献度を算出し、これらを電力供給事業者１６に通知する。
【０１１５】
ＤＲ成否及び貢献度に応じて、電力供給事業者１６は各需要家にインセンティブやペナルティを与える。例えばインセンティブとして電力料金の軽減サービスを提供し、ペナルティとして電力料金の割り増しを通知する。また、アグリゲータシステム１２のＤＲ成否及び貢献度に応じて、報奨金等のインセンティブを提供する。
【０１１６】
なお、上述の実施形態では、予測段階で蓄電池保有者と非保有者とでＤＲ量を融通していたが、実際のＤＲ制御の段階で、ＤＲ量の融通を行ってもよい。例えば図２２に例示するように、予測段階と比べて、実際のデマンドレスポンスにおいて、蓄電池４９を保有しない需要家Ｂの負荷制御量が、予測段階よりも目減りする、つまり予測段階よりも電力が削減できないような状況も生じ得る。このような場合、逐次需要家ＢのＤＲ要請量を需要家Ａの蓄電量（放電可能量）に充てるようにしてもよい。このような場合、需要家Ａにはインセンティブを割り増して提供し、需要家Ｂにはペナルティを割り増して与えてもよい。
【符号の説明】
【０１１７】
１０  電力管理システム、１２  アグリゲータシステム、１４  需要家電力管理システム、１６  電力供給事業者、３０  電力価格データベース、３２  電力使用実績データベース、３４  デマンドレスポンス実績データベース、３６  電力需要予測部、３８  デマンドレスポンス発令確率予測部（指令予測部）、４０  デマンドレスポンス要請量予測部（要請量予測部）、４２  デマンドレスポンス成功率予測部（分配予測量算出部）、４４  デマンドレスポンス分配量調整部（分配予測量調整部）、４５  太陽光発電装置、４７  負荷、４９  蓄電池、５０  コントローラ、５２  太陽光発電量予測部、５４  蓄電池制御計画作成部（蓄電池制御部）、５６  蓄電量下限値設定部、５７  要求仕様データベース。
【図１】
2018033273.tif 000005
【図２】
2018033273.tif 000006
【図３】
2018033273.tif 000007
【図４】
2018033273.tif 000008
【図５】
2018033273.tif 000009
【図６】
2018033273.tif 000010
【図７】
2018033273.tif 000011
【図８】
2018033273.tif 000012
【図９】
2018033273.tif 000013
【図１０】
2018033273.tif 000014
【図１１】
2018033273.tif 000015
【図１２】
2018033273.tif 000016
【図１３】
2018033273.tif 000017
【図１４】
2018033273.tif 000018
【図１５】
2018033273.tif 000019
【図１６】
2018033273.tif 000020
【図１７】
2018033273.tif 000021
【図１８】
2018033273.tif 000022
【図１９】
2018033273.tif 000023
【図２０】
2018033273.tif 000024
【図２１】
2018033273.tif 000025
【図２２】
2018033273.tif 000026